(57)【要約】【課題】フィルタや調湿材等の空調用部材の管理が容易で、且つ、室内で行う作業や季節等の条件に応じて適宜温度、湿度、空気清浄度等の空調環境を効率的に整えることができる室内空調システムの提供。【解決手段】天井部１より室内２に向けて吹き出した空気が通気孔３を有する床板４を通して床下空間５に吸い込まれ、その空気が循環用シャフト部６を通して天井部１に循環されるようにした室内空調システムにおいて、床下空間５内に配置された周回移動可能な無端ベルト７１を有する可動式保持ユニット７と、無端ベルト７１に着脱可能に保持され、床板４下に敷設される空調用部材８とを備え、空調用部材８は、それぞれ機能の異なる複数種の空調用部材より適宜選択できるようにしている。【選択図】図１
2017172812.tif 000002
【特許請求の範囲】
【請求項１】
天井部より室内に向けて吹き出した空気が通気孔を有する床板を通して床下空間に吸い込まれ、その空気が前記床下空間より循環用シャフト部を通して前記天井部に循環又は外部に排気されるようにした室内空調システムにおいて、
前記床下空間内に配置された周回移動可能な無端ベルトを有する可動式保持ユニットと、前記無端ベルトに着脱可能に保持され、前記床板下に敷設される空調用部材とを備え、
前記空調用部材は、それぞれ機能の異なる複数種の空調用部材より適宜選択できるようにしたことを特徴とする室内空調システム。
【請求項２】
前記循環用シャフト部の腰壁部には、室内に開口した作業窓と、該作業窓を開閉可能に閉鎖する閉鎖体とを備え、
前記可動式保持ユニットは、前記無端ベルトの一端が中継プーリを介して床下空間より前記腰壁部内に向けて延長されている請求項１に記載の室内空調システム。
【請求項３】
前記床板は、多数の床板部材により構成され、前記床板部材の一部又は全部が取り外せるようにしている請求項１又は２に記載の室内空調システム。
【請求項４】
前記可動式保持ユニットは、前記空調用部材の周回移動経路の途中に前記空調用部材に付着した塵埃を除去する清掃手段を備えている請求項１〜３の何れか１に記載の室内空調システム。
【発明の詳細な説明】
【技術分野】
【０００１】
本発明は、クリーンルーム等の室内の空気を調和する室内空調システムに関する。
【背景技術】
【０００２】
従来、室内空気を調和する空調システムには、空調装置本体を天井部に設け、空気を天井部から下向きに吹き出し、その天井部より室内に向けて吹き出した空気が通気孔を有する床板を通して床下空間に吸い込まれ、その空気が循環用シャフト部を通して天井部に循環するようにしたものが知られている（例えば、特許文献１を参照）。
【０００３】
特に、クリーンルーム等の一定の清浄度が要求される室内の空調システムでは、天井部又はその空気の吹き出し口に空気清浄用フィルタを設置し、このフィルタを通して塵埃を除去した清浄な空気を室内に下向きに吹き出し、その清浄空気を床下空間及び循環用シャフト部を通して循環させることにより、室内での塵埃の拡散を防止するようにしている。
【０００４】
一方、室内の湿度は、高湿度であると結露によるカビ・ダニが発生するおそれがあり、低湿度であるとウィルス等の温床となるおそれがあることから、季節や室内で行う作業の内容等によって、室内の湿度環境を整える必要が生じる場合がある。
【０００５】
この場合、室内の湿度環境を整える手段としては、高湿時には湿気を吸収し、乾燥時に湿気を放出するようにした調湿材が知られており、この調湿材と内装用建材とが一体化された調湿建材を導入することによって、室内の湿気環境を好適に整えることができる。
【先行技術文献】
【特許文献】
【０００６】
【特許文献１】特開２００６−２９２２９０号公報
【発明の概要】
【発明が解決しようとする課題】
【０００７】
しかしながら、上述の如き従来の技術では、天井部に空調装置本体を備える場合、一般的に空気清浄用フィルタを天井部に設ける場合が多く、その場合、フィルタを通過してから再度天井部に至るまでの循環経路が長くなることから、空気の循環系においてフィルタから離れた配置にある循環用シャフト部内には塵埃が付着し、送風量低下や付着した塵埃が微生物・菌類の温床となるおそれがあった。
【０００８】
一方、このような問題の対抗策としては、循環用シャフト部に近い床下空間に空気清浄用フィルタを設置することも考えられるが、この場合には、フィルタが汚れた場合や消耗した場合、フィルタの清掃や交換作業を作業員が床下に入って行うか、或いは、二重床の床板を取り外して行わなければならないという問題があった。
【０００９】
また、この種の室内空調システムでは、室内空調システムの空気調和環境が初めの室内設計の内容に依存するため、事後的に室内の空気調和環境を変更することは容易でなく、室内で行う作業や季節等の条件に応じて適宜温度、湿度、空気清浄度等の適用範囲を適宜変更することは困難であった。
【００１０】
例えば、既存の室内の湿度環境を整えるため、調湿材が一体化した調湿建材を導入する場合、室内の内装全てを交換する必要が生じるため、費用が嵩み、容易に導入することができないという問題があり、室内の何れかに建材と別個に調湿材を設けようとすると、その設置場所が限定されるため、調湿材と室内空気との接触面積が小さくなり、十分な調湿効果が得られないという問題があった。
【００１１】
そこで、本発明は、このような従来の問題に鑑み、フィルタや調湿材等の空調用部材の管理が容易で、且つ、室内で行う作業や季節等の条件に応じて適宜温度、湿度、空気清浄度等の空調環境を効率的に整えることができる室内空調システムの提供を目的としてなされたものである。
【課題を解決するための手段】
【００１２】
上述の如き従来の問題を解決するための請求項1に記載の発明の特徴は、天井部より室内に向けて吹き出した空気が通気孔を有する床板を通して床下空間に吸い込まれ、その空気が前記床下空間より循環用シャフト部を通して前記天井部に循環又は外部に排気されるようにした室内空調システムにおいて、前記床下空間内に配置された周回移動可能な無端ベルトを有する可動式保持ユニットと、前記無端ベルトに着脱可能に保持され、前記床板下に敷設される空調用部材とを備え、前記空調用部材は、それぞれ機能の異なる複数種の空調用部材より適宜選択できるようにした室内空調システムにある。
【００１３】
請求項２に記載の発明の特徴は、請求項１の構成に加え、前記循環用シャフト部の腰壁部には、室内に開口した作業窓と、該作業窓を開閉可能に閉鎖する閉鎖体とを備え、前記可動式保持ユニットは、前記無端ベルトの一端が中継プーリを介して床下空間より前記腰壁部内に向けて延長されていることにある。
【００１４】
請求項３に記載の発明の特徴は、請求項１又は２の構成に加え、前記床板は、多数の床板部材により構成され、前記床板部材の一部又は全部が取り外せるようにしていることにある。
【００１５】
請求項４に記載の発明の特徴は、請求項１〜３の何れか１の構成に加え、前記可動式保持ユニットは、前記空調用部材の周回移動経路の途中に前記空調用部材に付着した塵埃を除去する清掃手段を備えていることにある。
【発明の効果】
【００１６】
本発明に係る室内空調システムは、上述したように、天井部より室内に向けて吹き出した空気が通気孔を有する床板を通して床下空間に吸い込まれ、その空気が前記床下空間より循環用シャフト部を通して前記天井部に循環又は外部に排気されるようにした室内空調システムにおいて、前記床下空間内に配置された周回移動可能な無端ベルトを有する可動式保持ユニットと、前記無端ベルトに着脱可能に保持され、前記床板下に敷設される空調用部材とを備え、前記空調用部材は、それぞれ機能の異なる複数種の空調用部材より適宜選択できるようにしたことにより、空調用部材の変更が容易で、選択した空調用部材によって室内の空気調和環境を容易且つ効率的に実現することができ、室内で行う作業や季節等の条件に対応した空調環境を整えることができる。
【００１７】
また、本発明において、前記循環用シャフト部の腰壁部には、室内に開口した作業窓と、該作業窓を開閉可能に閉鎖する閉鎖体とを備え、前記可動式保持ユニットは、前記無端ベルトの一端が中継プーリを介して床下空間より前記腰壁部内に向けて延長されていることによって、空調用部材を移動させつつ腰壁部内で容易に空調用部材の交換及び点検整備を行うことができる。
【００１８】
更に、本発明において、前記床板は、多数の床板部材により構成され、前記床板部材の一部又は全部が取り外せるようにしていることにより、床板部材の一部を取り外すことで、その部分から空調部材の交換及び点検整備を行うことができる。
【００１９】
更にまた、本発明において、前記可動式保持ユニットは、前記空調用部材の周回移動経路の途中に前記空調用部材に付着した塵埃を除去する清掃手段を備えていることにより、空調用部材を常にきれいな状態に保つことができる。
【図面の簡単な説明】
【００２０】
【図１】本発明に係る室内空調システムの概略を示す縦断面図である。
【図２】同上のＡ−Ａ線矢視断面図である。
【図３】図１中の床下部の拡大断面図である。
【図４】空調用部材の取り付け状態を示す概略図である。
【図５】同上の他の例を示す概略図である。
【図６】本発明に係る室内空調システムの他の実施例の概略を示す縦断面図である。
【発明を実施するための形態】
【００２１】
次に、本発明に係る室内空調システムの実施態様を図１〜図５に示した実施例に基づいて説明する。
【００２２】
図１は、室内空調システムを備えた部屋の概略を示し、この室内空調システムは、天井部１より室内２に向けて吹き出した空気が通気孔３，３...を有する床板４を通して床下空間５に吸い込まれ、その空気が循環用シャフト部６を通して天井部１に循環されるようにした空気循環系を備えている。
【００２３】
また、この室内空調システムは、床下空間５内に配置された周回移動可能な無端ベルト７１，７１を有する可動式保持ユニット７を備え、この可動式保持ユニット７の無端ベルト７１，７１に空気清浄用フィルタ８１や調湿材８２，８２等のそれぞれ機能の異なる空調用部材８を適宜選択して保持させることにより、部屋の床全面に亘って空調用部材８を敷設できるようになっている。
【００２４】
天井部１は、スラブ１１と天井板１２との間に天井空間１３が形成され、この天井空間１３内に設置された空調装置本体１４より吹き出しダクト１５を通して空気が天井板１２に設置された吹き出し口１６に供給され、吹き出し口１６より室内２に向けて空気が吹き出されるようになっている。
【００２５】
空調装置本体１４は、屋外から外気ダクト１９を通して取り込んだ空気及び循環用シャフト部６を通過した循環され吸込み口１７及び吸込みダクト１８を通して取り込んだ空気をフィルタに通し、それを吹き出しダクト１５を通して各吹き出し口１６に供給するようになっている。
【００２６】
尚、上記の循環系は、空調機本体１４に屋外からの外気を取り込む方式について述べたが、これに限定されず、屋外からの外気を取り込まず、室内の空気を循環させるものであってもよい。
【００２７】
吹き出し口１６の態様は、特に限定されないが、室内２に高い清浄度が求められるクリーンルーム等では送風ファンとフィルタとを有するファンフィルタユニットを用いてもよい。
【００２８】
循環用シャフト部６は、床スラブ５１より立ち上がった二重壁により形成され、その内部に空間が形成され、その上端が天井板１２によって閉鎖され、下端が床下空間５と連通している。
【００２９】
この循環用シャフト部６は、二重壁の各壁にそれぞれ形成された窓枠にガラス板が嵌め込まれた二重窓６３を備えるとともに、二重窓６３下に一対の壁６１,６２からなる二重壁構造の腰壁部６４が形成されている。
【００３０】
この腰壁部６４の内側の壁６２には、室内２に開口した作業窓６５と、作業窓６５を開閉可能に閉鎖する閉鎖体６６とを備え、作業窓６５を通して室内２より腰壁部６４内にアクセスでき、作業を行えるようになっている。尚、閉鎖体６６は、はめ込み式、扉式、引き戸式のいずれの態様でもよい。
【００３１】
床部は、床スラブ５１上に互いに等間隔で立設された支柱状の支持部材４２，４２...を介して床板４が支持され、床スラブ５１と床板４との間に床下空間５が形成された二重床構造となっている。
【００３２】
床板４は、図２に示すように、多数の矩形状の床板部材４１，４１...により形成され、各床板部材４１，４１...がそれぞれ四隅を支持部材４２，４２...に支持された状態に敷設されている。
【００３３】
床板部材４１，４１...は、その一部又は全部に通気孔３，３...を備え、この通気孔３，３...を通して床下空間５に空気が吸い込まれ、床下空間５が空気循環用のチャンバとして機能するようになっている。
【００３４】
尚、床板部材４１，４１...の態様は、特に限定されないが、図に示す床板部材４１に通気孔３を構成する吸込口ユニットを組み込んだものであってもよく、床板部材４１自体がグレーチング状、又は板厚方向に多数の通気孔３，３...を貫通させた形状のものであってもよい。
【００３５】
各可動式保持ユニット７は、床下空間５から腰壁部６４内に亘って周回移動可能に設置された互いに平行な一対の無端ベルト７１，７１と、両無端ベルト７１，７１に着脱可能に保持される空調用部材８とを備え、無端ベルト７１，７１に連動して空調用部材８が周回移動するコンベア構造を成している。
【００３６】
各無端ベルト７１，７１は、図３〜５に示すように、床下空間５の床スラブ５１に回転可能に支持された一方のプーリ（以下、従動プーリという）７２と、腰壁部６４内に回転可能に支持された他方のプーリ（以下、駆動プーリという）７３との間に中継プーリ７４，７５を介して掛け回され、その一端が床下空間５より腰壁部６４内に向けて延長されている。
【００３７】
また、各無端ベルト７１，７１には、その互いに対向する側に周方向に間隔を置いて多数のクリップ７６，７６...が支持されており、空調用部材８の側縁をクリップ７６，７６で挟持することにより空調用部材８が無端ベルト７１，７１に着脱可能に保持されるようになっている。
【００３８】
尚、無端ベルト７１に空調用部材８を着脱可能に固定する手段（固定手段）は、上述のクリップ７６に限定されず、例えば、無端ベルトの外周面に周方向に間隔を置いて突起を設けておき、その突起と空調用部材の側部に形成された係止孔を係合させるようにしたもの等でもよく、また、面ファスナーを無端ベルト７１と空調用部材８のそれぞれに備え、面ファスナーを介して固定するもの、各無端ベルトの内側にそれぞれコの字型のガイドレールを配置し、ガイドレール間に空調用部材８を沿わせるもの等でもよい。
【００３９】
駆動プーリ７３，７３間は、回転軸７７によって連結され、駆動手段によって駆動プーリを回転駆動させると両無端ベルト７１，７１が同期して周回移動するようになっている。
【００４０】
尚、特に図示しないが、床下空間５には、適当な箇所、例えば、各プーリ７１〜７３部分等に床下空間５内に吸い込まれた空気の流れが空調用部材８を通過するように調節する整流部材が備えられている。
【００４１】
駆動手段は、図４に示すように、駆動プーリ７３に固定された回転式ハンドル７８を備え、人力で回転駆動させるものであってもよく、図５に示すように、モータ７９等を使用してもよい。
【００４２】
空調用部材８は、マット状、無端ベルト状又は帯状に形成され、それぞれ機能の異なる複数種の空調用部材８より適宜選択できるようにし、空調用部材８には、空気清浄用フィルタ８１、調湿材８２，８２の他、脱臭材、吸着材、蓄熱材等を使用することができる。
【００４３】
尚、調湿材８２，８２は、ゼオライトからなる微細多孔質性材料により形成されたもの等であって、既製の調湿材８２，８２を使用することができる。
【００４４】
また、吸着材には、有機酸、ホルムアルデヒド、アンモニア等の有害ガスを吸着するもの等がある。
【００４５】
尚、可動式保持ユニット７は、空調用部材８の周回移動経路の途中に空調用部材８に付着した塵埃を除去する清掃手段９を備えており、無端ベルト７１，７１の周回移動に伴い各空調用部材８を移動させ、対象の空調用部材８が清掃手段９を通過することにより、空調用部材８に付着した塵埃が除去されるようになっている。
【００４６】
清掃手段９は、例えば、図３に示すように、回転ブラシ９１が空気清浄用フィルタ８１の表面に接した状態で回転することにより、フィルタ等の空調用部材の表面に付着した塵埃を集塵容器９２に掻き落とすようにしたものや、特に図示しないが、空調部材に向けて設置された吸引部及び吸引部に負圧を作用させる吸引ポンプ等を備えたものであってもよい。
【００４７】
このようにして構成された室内空調システムは、腰壁部６４に形成された作業窓６５又は床板部材４１，４１...の一部を外して形成された作業窓を通して、無端ベルト７１，７１に保持された空調用部材８を部分的に交換、点検等ができ、且つ、無端ベルト７１，７１を周回移動させ、それに連動して交換や点検した部分の空調用部材８から順次床下空間５に送り込むことにより、容易に空調用部材８を床下全体に亘って敷設することができる。
【００４８】
この室内空調システムにおける空調環境は、選択した空調部材によって変更でき、例えば、空調用部材８に空気清浄用フィルタ８１を選択した場合には、天井部１より室内２に向けて吹き出した空気が通気孔３，３...を有する床板４を通して床下空間５に吸い込まれた際、その空気が空調用部材８である空気清浄用フィルタ８１を通過するので、循環用シャフト部６を通して天井部１に循環される空気が清浄な状態に保たれるので、送風量低下や付着した塵埃が微生物・菌類の温床となることを防止することができる。
【００４９】
一方、調湿材８２，８２を選択した場合には、内装の変更を伴わずに調湿材８２，８２を導入することができ、且つ、床下全体に調湿材８２，８２が敷設されるので、室内２空気との接触面積を多く確保でき、有効な調湿効果を得ることができる。
【００５０】
本発明の態様は、上述した実施例に限定されず、例えば、図６に示すようなものであってもよい。尚、上述の実施例と同様の構成には同一符号を付して説明を省略する。
【００５１】
具体的には、上述の実施例において、循環用シャフト部６を部屋の外壁部に設けた場合について説明したが、図６に示すように、部屋の中央部や部屋間の間仕切り部に循環用シャフト部６を設けてもよい。尚、図中符号５２は、床下空間５内に吸い込まれた空気の流れが空調用部材８を通るように調節する整流部材である。
【００５２】
また、上述の実施例では、腰壁部６４を循環用シャフト部６と一体的に備えた場合について説明したが、図６に示すように、循環用シャフト部６から独立した別の箇所に設けてもよい。この腰壁部６４の設置個所は、部屋の内壁部、外壁部を問わず、また、腰壁部６４の壁が内壁又は外壁と一体である必要もない。
【００５３】
更に、作業窓６５の位置は、上述の実施例に限定されず、図６に示すように、室内２側に突出した腰壁部６４の上面部に設け、その作業窓を開閉式の上部蓋６８によって閉鎖するようにしてもよい。
【００５４】
また、上述の各実施例では、循環用シャフト部６を通して天井部１に空気を循環させるものについて説明したが、空気清浄フィルタを使用しない場合においては、床下空間に取り込まれた空気を外部に排気するようにしてもよい。
【００５５】
尚、上述の実施例では、無端ベルト７１，７１を循環シャフト部６の腰壁部６４まで延長させた例について説明したが、無端ベルト７１、７１は、床下空間内にのみ配置されるようにしてもよい。
【００５６】
また、上述の実施例では、所謂一方向流方式の室内空調システムについて説明したが、全面一方向流方式であってもよく、その他の方式であってもよい。
【符号の説明】
【００５７】
１  天井部
１１  スラブ
１２  天井板
１３  天井空間
１４  空調装置本体
１５  吹き出しダクト
１６  吹き出し口
１７  吸込み口
１８  吸込みダクト
１９  外気ダクト
２  室内
３  通気口
４  床板
４１  床板部材
４２  支持部材
５  床下空間
５１  床スラブ
５２  整流部材
６  循環用シャフト部
６１、６２  壁
６３  二重窓
６４  腰壁部
６５  作業窓
６６  閉鎖体
６８  上部蓋
７  可動式保持ユニット
７１  無端ベルト
７２  従動プーリ
７３  駆動プーリ
７４、７５  中継プーリ
７６  クリップ
７７  回転軸
７８  ハンドル
７９  モータ
８  空調用部材
９  清掃手段
９１  回転ブラシ
９２  集塵容器
【図１】
2017172812.tif 000003
【図２】
2017172812.tif 000004
【図３】
2017172812.tif 000005
【図４】
2017172812.tif 000006
【図５】
2017172812.tif 000007
【図６】
2017172812.tif 000008